(57)【要約】【課題】  低音再生能力に優れる薄型のスピーカーシステムに関し、特に、平面型ディスプレイを床面、もしくは、机や棚等の家具の載置面に設置する平面型ディスプレイ用スタンドに内蔵するのに適するスピーカーシステムを提供する。【解決手段】  底面バフルが、スピーカーを収容する収容孔を規定しフレームを取り付けるフレーム取付部と、フレーム取付部の外側で載置面側に突出するＵ字状凸部と、Ｕ字状凸部の内側に規定される内側平面部と、Ｕ字状凸部の外側でキャビネット部材に連結する外側平面部と、を有し、スピーカーシステムを載置面に載置して使用する場合に、底面バフルのＵ字状凸部および内側平面部が、載置面との間にスピーカーの振動板から放射される音波の音源空間及び音道を規定し、Ｕ字状凸部のＵ字開口部が、載置面との間に音波の放射孔を規定する。【選択図】  図１
2008042507.tif 000002
【特許請求の範囲】
【請求項１】
振動板ならびに該振動板を支持するフレームを有するスピーカーと、該フレームが取り付けられて該振動板を載置面側に向ける底面バフルと、該底面バフルと連結してその上面側空間に音響容量を規定するキャビネット部材と、を備えるスピーカーシステムであって、
該底面バフルが、該スピーカーを収容する収容孔を規定し該フレームを取り付けるフレーム取付部と、該フレーム取付部の外側で該載置面側に突出するＵ字状凸部と、該Ｕ字状凸部の内側に規定される内側平面部と、該Ｕ字状凸部の外側で該キャビネット部材に連結する外側平面部と、を有し、
該スピーカーシステムを該載置面に載置して使用する場合に、該底面バフルの該Ｕ字状凸部および該内側平面部が、該載置面との間に該スピーカーの該振動板から放射される音波の音源空間及び音道を規定し、該Ｕ字状凸部のＵ字開口部が、該載置面との間に音波の放射孔を規定する、
スピーカーシステム。
【請求項２】
前記底面バフルの前記フレーム取付部、前記Ｕ字状凸部、前記内側平面部および前記外側平面部が、プレス加工された金属板により一体に形成されており、該Ｕ字状凸部が、該底面バフルの上面側にＵ字状凹部を規定し、かつ、該Ｕ字状凹部が、前記キャビネット部材とともに音響容量を規定する、
請求項１に記載のスピーカーシステム。
【請求項３】
前記底面バフルの前記Ｕ字状凸部が、前記載置面と接触するＵ字状平面を有し、該Ｕ字状平面の全面に、クッション部材が貼り付けられる、
請求項１または２に記載のスピーカーシステム。
【請求項４】
前記底面バフルの前記Ｕ字状凸部の前記Ｕ字開口部を規定する端部が、該Ｕ字状凸部と前記外側平面部とを連結する斜面を有する、
請求項１から３のいずれかに記載のスピーカーシステム。
【請求項５】
前記キャビネット部材が、前記スピーカーの磁気回路を収容する磁気回路孔を規定し、該スピーカーを固定する磁気回路取付部を有する、
請求項１から４のいずれかに記載のスピーカーシステム。
【請求項６】
平面型ディスプレイを支持するディスプレイ支持部と、該ディスプレイ支持部が固定される台座部と、を備え、該台座部が、請求項１から５のいずれかに記載のスピーカーシステムを含む、平面型ディスプレイ用スタンド。
【発明の詳細な説明】
【技術分野】
【０００１】
本発明は、液晶ディスプレイ、若しくは、プラズマディスプレイ等の平面型ディスプレイを、床面、あるいは、机や棚のような家具等の載置面に設置する平面型ディスプレイ用スタンドに内蔵するのに適し、特に、低音再生能力に優れる薄型のスピーカーシステムに関する。
【背景技術】
【０００２】
従来に普及していたブラウン管型ディスプレイに比べて、奥行き寸法が小さく、薄い液晶ディスプレイ、若しくは、プラズマディスプレイ、といった平面型ディスプレイが増加してきている。このような平面型ディスプレイに取り付けられて音声を再生するスピーカーについても、小型化もしくは薄型化が要求されている。特に低音域の再生においては、十分な低音域再生が可能な音響容量を規定するキャビネットを設けることができない、もしくは、厚みが必要な大型磁気回路を備えるスピーカーを採用できない、といった理由から、平面型ディスプレイに適用可能な薄型のスピーカーシステムが要望されている。
【０００３】
低音を再生するスピーカーシステムにおいて、スピーカーと、スピーカーを同一形状の密閉箱に取り付けて直接自由空間へ放射する場合に比べて高い空気の圧縮および膨張を生じさせ、スピーカーから放射される音波を自由空間へと導出する音導部と、を備えるスピーカーシステムがある（特許文献１）。音導部は、スピーカーの周縁部に対応して規定された音源空間と、スピーカーから放射される音波を自由空間に導出する音道とを有し、音道が、中間部の幅が音源空間と音道との接続部の幅および音道の出口部の幅よりも狭く、かつ、音道の音波導出方向の軸に対して非対称であるような平面形状を有し、それによって、スピーカーシステムのｆ０が、スピーカーを同一形状の密閉箱に取り付けて直接自由空間へと放射する場合のｆ０と比較して２０％以上低くなり、キャビネットの体積が小さくても十分な低音を再生する。
【０００４】
一方で、奥行き寸法が大きいブラウン管型ディスプレイに用いる低音を再生するスピーカーシステムでは、テレビ受像機キャビネットを支持する複数の脚部と、テレビ受像機を設置する設置面と、テレビ受像機キャビネットの底面に設けたスピーカーを備え、テレビ受像機キャビネットの底面に固着し、設置面とキャビネット底面との挟空間の一部を遮蔽する仕切り板を設けるスピーカーシステムがある。（特許文献２）。また、テレビジョン受像機の筐体の底板にスピーカーを取り付け、底板と筐体のスカート部と、載置する面との囲まれた空間で低音を再生しようとするものがある（特許文献３）。
【０００５】
【特許文献１】特許第３６５６５５１号公報
【特許文献２】実開平５−６５１９６号公報
【特許文献３】特開平９−２１９８９６号公報
【０００６】
良好な音声再生のためには、上記特許文献に匹敵する良好な低域再生特性を有するスピーカーシステムを確保することが好ましい。しかしながら、従来の低音を再生するスピーカーシステムは、液晶ディスプレイ、若しくは、プラズマディスプレイ等の平面型ディスプレイに組み入れるには、スピーカーもしくは音導部を含むキャビネットの寸法が大きすぎて、特に、奥行き方向の寸法と高さ方向の寸法とが大きく、薄いディスプレイと一体にしてスピーカーを含む全体として薄型のディスプレイにできないという問題がある。
【発明の開示】
【発明が解決しようとする課題】
【０００７】
本発明は、上記の従来技術が有する問題を解決するためになされたものであり、その目的は、低音再生能力に優れる薄型のスピーカーシステムに関し、特に、平面型ディスプレイを床面、もしくは、机や棚等の家具の載置面に設置する平面型ディスプレイ用スタンドに内蔵するのに適するスピーカーシステムを提供することにある。
【課題を解決するための手段】
【０００８】
本発明のスピーカーシステムは、振動板ならびに振動板を支持するフレームを有するスピーカーと、フレームが取り付けられて振動板を載置面側に向ける底面バフルと、底面バフルと連結してその上面側空間に音響容量を規定するキャビネット部材と、を備えるスピーカーシステムであって、底面バフルが、スピーカーを収容する収容孔を規定しフレームを取り付けるフレーム取付部と、フレーム取付部の外側で載置面側に突出するＵ字状凸部と、Ｕ字状凸部の内側に規定される内側平面部と、Ｕ字状凸部の外側でキャビネット部材に連結する外側平面部と、を有し、スピーカーシステムを載置面に載置して使用する場合に、底面バフルのＵ字状凸部および内側平面部が、載置面との間にスピーカーの振動板から放射される音波の音源空間及び音道を規定し、Ｕ字状凸部のＵ字開口部が、載置面との間に音波の放射孔を規定する。
【０００９】
好ましくは、本発明のスピーカーシステムは、底面バフルのフレーム取付部、Ｕ字状凸部、内側平面部および外側平面部が、プレス加工された金属板により一体に形成されており、Ｕ字状凸部が、底面バフルの上面側にＵ字状凹部を規定し、かつ、Ｕ字状凹部が、キャビネット部材とともに音響容量を規定する。
【００１０】
また、好ましくは、本発明のスピーカーシステムは、底面バフルのＵ字状凸部が、載置面と接触するＵ字状平面を有し、Ｕ字状平面の全面に、クッション部材が貼り付けられる。
【００１１】
さらに、好ましくは、本発明のスピーカーシステムは、底面バフルのＵ字状凸部のＵ字開口部を規定する端部が、Ｕ字状凸部と外側平面部とを連結する斜面を有する。
【００１２】
また、好ましくは、本発明のスピーカーシステムは、キャビネット部材が、スピーカーの磁気回路を収容する磁気回路孔を規定し、スピーカーを固定する磁気回路取付部を有する。
【００１３】
また、本発明の平面型ディスプレイ用スタンドは、平面型ディスプレイを支持するディスプレイ支持部と、ディスプレイ支持部が固定される台座部と、を備え、台座部が、請求項１から５のいずれかに記載のスピーカーシステムを含む。
【００１４】
以下、本発明の作用について説明する。
【００１５】
本発明のスピーカーシステムは、振動板ならびに振動板を支持するフレームを有するスピーカーと、フレームが取り付けられて振動板を載置面側に向ける底面バフルと、底面バフルの上面側空間に音響容量を規定するキャビネット部材と、を備える。底面バフルは、スピーカーを収容する収容孔を規定しフレームを取り付けるフレーム取付部と、フレーム取付部の外側で載置面側に突出するＵ字状凸部と、Ｕ字状凸部の内側に規定される内側平面部と、Ｕ字状凸部の外側でキャビネット部材に連結する外側平面部と、を有し、好ましくは、フレーム取付部、Ｕ字状凸部、内側平面部および外側平面部が、プレス加工された金属板により一体に形成されている。
【００１６】
ここで、底面バフルのＵ字状凸部とは、プレス加工される前の金属板の平面部分を利用して形成される（つまり、プレス加工で絞られたり延ばされたりしないで形成される）内側平面部および外側平面部に比較して、プレス加工で絞り延ばされて載置面側へ突出した凸部であり、載置面側の反対側には凸部に対応した凹部が形成される。そして、その凸部の全体形状は、アルファベット文字の「Ｕ」字に似て、一方向のみに凸部が形成されていない、いわば、「Ｕ字開口部を有する空間」を形成する。したがって、本発明のスピーカーシステムは、これを床面、もしくは、机や棚等の家具の載置面に載置して使用する場合に、底面バフルのＵ字状凸部および内側平面部が、載置面との間にスピーカーの振動板から放射される音波の音源空間及び音道を規定し、Ｕ字状凸部のＵ字開口部が、載置面との間に音波の放射孔を規定する。その結果、本発明のスピーカーシステムは、低音再生能力に優れる薄型のスピーカーシステムとなる。
【００１７】
なお、本発明における音源空間および音道とは、特許文献１に記載のものとほぼ同義であり、音源空間は、スピーカーの振動板のフレーム周縁部に対応して規定される空間であり、音道は、音源空間に連通してスピーカーから放射される音波を自由空間に導出する空間であり、その出口部が放射孔である。
【００１８】
特に、底面バフルのＵ字状凸部は、底面バフルの上面側にＵ字状凹部を形成し、キャビネット部材とともに、スピーカーの振動板の背面側により大きな音響容量を規定して、低音再生限界周波数をより引き下げることができる。底面バフルをプレス加工された金属板により一体に形成するので、音源空間及び音道を構成するための製造コストの面でも、キャビネット側の音響容量の確保の面でも、利点が大きい。また、Ｕ字状凸部は、載置面と接触するＵ字状平面を有し、Ｕ字状平面の全面にクッション部材が貼り付けられると、底面バフルのＵ字状凸部と載置面との間が密着して、風切音が生じない、さらに、載置面との間の振動で異音が生じない、優れた低音再生が可能になる。
【００１９】
さらに、このスピーカーシステムでは、底面バフルに取り付けるスピーカー自体を薄型化すると共に、キャビネット部材にスピーカーの磁気回路を収容する磁気回路孔を規定し、スピーカーを固定する磁気回路取付部を有するようにすることで、スピーカーシステムの全高を極めて低く抑えることができ、略平板状の薄型のキャビネットを実現できる。
【００２０】
このスピーカーシステムを斜め上方から使用者が見た場合に、底面バフルのＵ字状凸部のＵ字開口部を規定する端部を、Ｕ字状凸部と外側平面部とを連結する斜面を有するように形成することで、Ｕ字状凸部のＵ字開口部が載置面との間に規定する音波の放射孔が、斜め上方からは見えにくくなる。したがって、載置面に載置したスピーカーシステムは、スピーカーの振動板も露出しないので極めて外観がすっきりしたものになり、平面型ディスプレイ用スタンドに内蔵するのに適するものになる。
【００２１】
そして、このスピーカーシステムで台座部を形成することで、液晶ディスプレイ、若しくは、プラズマディスプレイ等の平面型ディスプレイに適した平面型ディスプレイ用スタンドが実現される。平面型ディスプレイ用スタンドは、平面型ディスプレイを支持するディスプレイ支持部と、ディスプレイ支持部が固定される台座部と、を備え、台座部が、本発明のスピーカーシステムを含む。したがって、低音再生能力に優れるスピーカーシステムを台座部に内蔵するスタンドにより平面型ディスプレイを支持して映像を映写し、この薄い平面型ディスプレイと一体になったスピーカーで良好な音声再生、特に不足しがちな低音の再生が可能になる。
【発明の効果】
【００２２】
本発明のスピーカーシステムは、低音再生能力に優れる薄型のスピーカーシステムを実現できる。このスピーカーシステムは、平面型ディスプレイを床面、もしくは、机や棚等の家具の載置面に設置する平面型ディスプレイ用スタンドに内蔵するのに適し、音波の放射孔が斜め上方からは見えにくく、スピーカーの振動板も露出しない極めて外観がすっきりした平面型ディスプレイ用スタンドが実現される。
【発明を実施するための最良の形態】
【００２３】
本発明のスピーカーシステムは、低音再生能力に優れる薄型のスピーカーシステム、ならびに、これを内蔵する平面型ディスプレイ用スタンドを提供するという目的を、底面バフルが、スピーカーを収容する収容孔を規定しフレームを取り付けるフレーム取付部と、フレーム取付部の外側で載置面側に突出するＵ字状凸部と、Ｕ字状凸部の内側に規定される内側平面部と、Ｕ字状凸部の外側でキャビネット部材に連結する外側平面部と、を有し、スピーカーシステムを載置面に載置して使用する場合に、底面バフルのＵ字状凸部および内側平面部が、載置面との間にスピーカーの振動板から放射される音波の音源空間及び音道を規定し、Ｕ字状凸部のＵ字開口部が、載置面との間に音波の放射孔を規定するようにすることにより、実現した。
【００２４】
以下、本発明の好ましい実施形態によるスピーカーシステムおよびこれを含む平面型ディスプレイ用スタンドについて説明するが、本発明はこれらの実施形態には限定されない。
【実施例１】
【００２５】
図１および図２は、本発明の好ましい実施形態によるスピーカーシステム１を説明する図である。図１（ａ）は、スピーカーシステム１を前方斜め上面側から見た斜視図であり、図１（ｂ）は、スピーカーシステム１を前方斜め底面側（後述する載置面８側）から見た斜視図である。また、図２（ａ）は、図１（ａ）におけるＡ−Ａ’断面からみた内部構造を説明する断面図であり、図２（ｂ）は、図１（ａ）におけるＢ−Ｂ’断面からみた内部構造を説明する断面図である。なお、説明に不要なスピーカーシステム１の一部の構造や、内部構造等は、省略している。また、図１（ｂ）では、載置面８は、省略されている。
【００２６】
本実施例のスピーカーシステム１は、前方から見た幅寸法、ならびに、奥行寸法に比較して、その高さ寸法が抑えられた略平板状の薄型のキャビネットを備えるスピーカーシステムであり、後述するように、平面型ディスプレイ用スタンドを構成して平面型ディスプレイを支持するとともに、映像と共に再生される音声、特に、その音声の低音域の周波数帯域を再生するものである。このスピーカーシステム１は、液晶ディスプレイ、若しくは、プラズマディスプレイ等の平面型ディスプレイを設置する床面、あるいは、机や棚のような家具等の載置面８に載置されて使用される。本実施例では、スピーカーシステム１は、その前方端幅寸法が約３７０ｍｍ、後方端幅寸法が約２６０ｍｍ、奥行寸法が約３００ｍｍ、に対して、その載置面８からの全高がわずか約４０ｍｍであり、内容積が約１．５リットルである。
【００２７】
スピーカーシステム１では、音声信号を音声に変換するスピーカー２が、その振動板２１を載置面８側に向ける底面バフル３に取り付けられ、キャビネット部材４が、底面バフル３の上面側空間に密閉した音響容量を規定するように取り付けられている。底面バフル３の四隅には、円形脚５が取り付けられてスピーカーシステム１を安定に載置面８に載置可能とするとともに、底面バフル３と載置面８との間を離隔して、後述するスピーカー２の振動板２１から放射される音波の音源空間５０および音道５１を形成する空間を確保する。また、キャビネット部材４に取り付けられる蓋部材６は、スピーカー２の磁気回路２３を覆って、キャビネット部材４の磁気回路取付部４２と磁気回路２３との間を密閉する。
【００２８】
スピーカー２は、スピーカーシステム１を薄型化するように、口径寸法に対してその全高を低く抑えた動電型スピーカーであり、振動板２１と、振動板２１を支持するフレーム２２と、フレーム２２に固定されて振動板２１を振動させる駆動力を発生させる磁気回路２３と、磁気回路２３の磁気空隙に配置されて振動板２１に連結するボイスコイル２４を有する。振動板２１は、本実施例で図示されるコーン型振動板に限定されず、平面型振動板でもよく、円形、楕円形、トラック形もしくは矩形のいずれかの振動板形状でよい。本実施例のフレーム２２は、アルミダイカスト成形によるフレームであり、あるいは、金属板をプレス成型した金属フレームや樹脂フレームでもよく、後述する底面バフル３のフレーム取付部３２と（図示しない）ネジにより連結する連結孔を有する。磁気回路２３は、本実施例で図示する外磁型に限られず、内磁型もしくは反発型でもよい。また、本実施例のボイスコイル２４は、２本の被膜線を巻回してステレオ左右の音声信号電流を磁気空隙に流すダブルボイスコイルであるが、１本の被膜線を巻回して１音声チャンネルの音声信号電流を磁気空隙に流すボイスコイルでも、あるいは、３本以上の被膜線を巻回するボイスコイルであってもよい。なお、本実施例では、スピーカー２の口径は、呼び径が１６ｃｍである。
【００２９】
なお、障害物と衝突した場合に破壊されやすいスピーカー２の振動板２１を保護するために、フレーム２２の前面側にパンチングメタルを成形した（図示しない）保護ネット、もしくは、開口を有するように樹脂で成形した保護ネットを設けていてもよい。この保護ネットは、振動する振動板２１が接触しない距離だけ離隔していればよいので、場合によっては、後述する背面バフル３のフレーム取付部３２に取り付ける構造も採用することができる。
【００３０】
本実施例の底面バフル３は、厚みが約１．６ｍｍの鉄板をプレス加工して形成されており、スピーカー２の振動板２１を載置面８側に向けるとともに、振動板２１から放射される音波の音源空間５０及び音道５１を、載置面８側に突出するＵ字状凸部３１により形成する。底面バフル３は、スピーカー２を収容する収容孔を規定しフレーム２２を取り付けるフレーム取付部３２と、フレーム取付部３２の外側で載置面８側に突出するＵ字状凸部３１と、Ｕ字状凸部３１の内側に規定される内側平面部３３と、Ｕ字状凸部３１の外側でキャビネット部材４の固定部４１に連結して円形脚５が取り付けられる外側平面部３４と、を有する。このうち、内側平面部３３および外側平面部３４は、プレス加工される前の鉄板の平面部分を利用してほぼ同一平面上に形成され、Ｕ字状凸部３１およびフレーム取付部３２は、プレス加工で絞り延ばされて、内側平面部３３および外側平面部３４に比較して、上面側もしくは載置面側へ突出するように形成される。したがって、本実施例の底面バフル３では、薄くても剛性を有する金属板のうち、鉄板をプレス加工しているので、一方の面側に突出して形成された凸部は、その反対側の面には凸部に対応する断面形状の凹部を形成している。
【００３１】
載置面８側から見たＵ字状凸部３１の凸部の平面形状は、アルファベット文字の「Ｕ」字に似た形状であり、この「Ｕ」字の内側にスピーカー２が取り付けられている。また、Ｕ字状凸部３１は、ほぼ一定の幅を有し、内側平面部３３および外側平面部３４から突出する高さも、底面バフル３の四隅に取り付けられる円形脚５の高さと同一高さ寸法でほぼ一定の段差（約１０ｍｍ）となるように形成される。その結果、Ｕ字状凸部３１を構成するＵ字状平面３１ａが形成される。Ｕ字状平面３１ａは、本実施例のスピーカーシステム１が載置面８に載置される場合には、載置面８と接触して、底面バフル３と載置面８との間に形成される空間を、Ｕ字状凸部３１の内側空間と外側空間とに分離する。また、Ｕ字状凸部３１は、一方向のみに凸部が形成されていないので、Ｕ字開口部を有する内側空間を、内側平面部３２と載置面８とともに形成する。
【００３２】
本実施例のキャビネット部材４は、底面を有しない薄型の略平板状の箱体であり、樹脂による射出成形で全体が形成されている。キャビネット部材４は、その略平板状の箱体の底面の周囲の固定部４１が、底面バフル３の外側平面部３４と連結するように設計され、また、その外観形状が薄型を保ち、かつ、底面バフル３の上面側空間４０に低音再生に必要な密閉した音響容量を規定するように設計される。また、キャビネット部材４は、スピーカーシステム１の全高を可能な限り薄くしたいので、スピーカー２の磁気回路２３を固定する磁気回路取付部４２を天板部分に備える。すなわち、磁気回路取付部４２は、スピーカー２の磁気回路２３を収容する磁気回路孔を有しており、磁気回路２３とキャビネット部材４とが高さ方向で重複しないようにして、キャビネット部材４の天板部分の厚みがスピーカーシステム１の全高に影響しないようにする。
【００３３】
キャビネット部材４の磁気回路取付部４２の磁気回路２３を収容する磁気回路孔は、これに嵌合する樹脂で成形された蓋部材６で閉塞される。つまり、蓋部材６は、スピーカー２の磁気回路２３を覆って、キャビネット部材４の磁気回路取付部４２と磁気回路２３との間を密閉する。その結果、底面バフル３、キャビネット部材４、および、蓋部材６は、スピーカー２の振動板２１の背面側（つまり底面バフル３の上面側）に上面側空間４０を有する密閉箱を形成する。蓋部材６は、磁気回路取付部４２と磁気回路２３との間を密閉すればよく、場合によっては、貫通孔を有してスピーカー２の磁気回路２３の背面側を露出させてもよい。スピーカー２の磁気回路２３は、印可された音声電流によって熱を発生するので、蓋部材６の貫通孔を通じて放熱させることができる。
【００３４】
本実施例の底面バフル３では、載置面８側に突出して形成されたＵ字状凸部３１は、その反対側の底面バフル３の上面側に、凸部に対応する形状のＵ字状凹部３０を形成している。このＵ字状凹部３０は、上記の上面側空間４０と連通しているので、スピーカー２の振動板２１の背面側で、低音再生に必要な密閉した音響容量を増加させる。薄型のスピーカーシステム１では、キャビネット４の体積が小さくなり密閉箱の音響容量が確保しにくく、スピーカーシステム１の低域限界再生周波数に関する最低共振周波数ｆ０が上昇しがちになるが、Ｕ字状凹部３０は、いわば、密閉キャビネットの体積を増加させて、最低共振周波数ｆ０をより低くすることができる。なお、このＵ字状凹部３０の体積は、キャビネット４が有する上面側空間４０の体積の１０％以上程度あるのがより好ましいが、２〜１０％の範囲であってもよい。また、本実施例の底面バフル３は、鉄板のプレス加工品としたが、銅やアルミニウム等の他の金属や合金による金属板でもよく、剛性を確保した上で厚みを薄くできるならば、樹脂で成形してもよい。
【００３５】
本実施例の円形脚５は、樹脂を略円筒状に成形した支持脚であり、上述の通り、底面バフル３の外側平面部３４の四隅に（図示しない）ネジにより取り付けられ、その高さは、底面バフル３のＵ字状凸部３１が内側平面部３３および外側平面部３４から突出する高さと同一高さ寸法になるように形成される。もちろん、円形脚５は、底面バフル３の載置面８側の一端に、スピーカーシステム１を安定して支えるように設けられるものであれば、外観形状や材料は問われない。場合によっては、底面バフル３をプレス成形する際に、外側平面部３４の四隅に突起を延設して、円形脚５に代わる支持脚を設けてもよい。また、円形脚５を取り付ける方法は、ネジによる取り付けに限られず、接着でもよい。
【００３６】
Ｕ字状凸部３１を形成するＵ字状平面３１ａは、載置面８と接触するので、好ましくは、底面バフルのＵ字状凸部３１と載置面８との間が密着するように、その全面にクッション部材７を貼り付けるとよい。クッション部材７は、例えばウレタンを材料とし、連通する中空部分を有するスポンジ状材料を一定厚みに薄く形成したものや、押しつぶされたときにほぼ厚みが無視できる材料であればよい。底面バフル３のＵ字状凸部３１のＵ字状平面３１ａと、載置面８との間を密着させることで、スピーカーシステム１は、風切音が生じない、さらに、載置面８との間の振動で異音が生じない、優れた低音再生が可能になる。クッション部材７をＵ字状平面３１ａに貼り付ける場合は、円形脚５にもクッション部材７を貼り付けてもよい。
【００３７】
本発明のスピーカーシステム１を載置面８に載置して使用する場合に、底面バフル３のＵ字状凸部３１および内側平面部３３が、載置面８との間に形成する内側空間は、スピーカー２の振動板２１から放射される音波の音源空間５０および音道５１として機能する。一方、Ｕ字状凸部３１のＵ字開口部は、載置面８との間に音道５１を伝搬する音波の放射孔５２を形成し、スピーカーシステム１から音声を再生する放射孔として機能する。スピーカー２の振動板２１の前面側に設けられる音源空間５０は、音響負荷として作用してスピーカーシステム１の最低共振周波数ｆ０をさらに低くする。また、音道５１を通じて音波の放射孔５１に至る間に圧縮された音波は、音源空間５０の音響容量によって高域周波数成分が吸収され、いわば、主に中低域周波数成分を含む音波にフィルタ処理されている。このように、本実施例のスピーカーシステム１は、キャビネットが薄型でその体積が小さくても、低音再生能力に優れるものになる。
【００３８】
また、スピーカー２が保護ネットを備えている場合には、スピーカーシステム１を載置面８に載置して使用する場合に、保護ネットが振動板２１を保護して、振動板２１の破壊による動作不良を起こすおそれもない。特に、この保護ネットが磁性体の金属を材料にするパンチングメタルである場合には、保護ネットがスピーカー２の磁気回路２３から漏洩する磁束を減少させるので、スピーカーシステム１としての防磁性能を向上させることができる。
【００３９】
本実施例では、底面バフル３のＵ字状凸部３１の凸部の全体形状は、アルファベット文字の「Ｕ」字に似た平面形状としているが、音源空間５０と音道５１とが同じ幅で繋がっている「Ｕ」字に似た形状に限定されるものではなく、一端側が閉じてその内側にスピーカー２を収容して、他端側が開いているものであればよい。例えば、音源空間５０の幅が狭くなって音道５１に連通するギリシャ文字の「Ω」字に似た形状でもよい。また、特許文献１に記載されているように、例えば、音道５１が、中間部の幅が音源空間５０と音道５１との接続部の幅および音道５１の出口部の幅よりも狭く、かつ、音道５１の音波導出方向の軸に対して非対称であるような平面形状を有していてもよく、その場合には低音再生により効果的である。
【００４０】
底面バフル３のＵ字状凸部３１が形成するＵ字開口部において、このＵ字開口部を規定するＵ字状凸部３１の端部が、Ｕ字状凸部３１と外側平面部３４とを連結する斜面３１ｂおよび３１ｃを有する。図１（ａ）の斜視図に示されるように、このスピーカーシステム１を斜め上方から見た使用者には、Ｕ字状凸部３１の端部の斜面３１ｂおよび３１ｃは、底面バフル３の前面側端部に隠れて直視されないので、Ｕ字状凸部３１が形成するＵ字開口部が意識されない。つまり、薄型のスピーカーシステム１を載置面８に載置した、いわば、通常に使用する条件では、前方斜め上方から使用者が見た場合に、スピーカー２の振動板２１も露出せず、音波の放射孔５２も見えにくくなるので、極めて外観がすっきりし、音声を再生するスピーカーシステムを意識させないようにすることができる。
【００４１】
なお、本実施例では、図１（ａ）の斜視図に示されるように、底面バフル３と載置面８との間に設けた円形脚５を、前方斜め上方から見た使用者に直視できる位置に設置しているが、Ｕ字状凸部３１の端部の斜面３１ｂおよび３１ｃと同様の斜面を円形脚５に設けてもよく、また、底面バフル３の前面側端部に隠れて前方斜め上方から見ても見えにくくなるように、外側平面部３４のなかで前方から見てより奥方向に円形脚５を取り付けてよい。
【実施例２】
【００４２】
図３は、平面型ディスプレイ９を支持する本発明の好ましい他の実施形態によるスタンド１０を説明する図である。図３（ａ）は、平面型ディスプレイ９およびスタンド１０を前方斜め上面側から見た斜視図であり、図３（ｂ）は、平面型ディスプレイ９およびスタンド１０を後方斜め底面側（載置面８側）から見た斜視図である。なお、説明に不要な一部の構造は、省略している。また、図３（ｂ）では、載置面８は、図１（ｂ）と同様に省略されている。
【００４３】
例えば、平面型ディスプレイ９は、筐体９１の正面側中央に映像を映写する３２Ｖ型の液晶ディスプレイ９２が露出するように取り付けられたディスプレイであり、筐体９１の左右側面枠部には、それぞれステレオ左右信号に対応する左スピーカー９３と、右スピーカー９４とが取り付けられている。左スピーカー９３および右スピーカー９４には、筐体９１に内蔵された（図示しない）増幅器からそれぞれステレオ左右信号を電力増幅した音声信号電流が供給される。また、筐体９１の背面側下部には、スタンド１０を取り付けるスタンド取付部９５が形成されている。もちろん、平面型ディスプレイ９の構成は、スタンド取付部９５の形状を含めて、図３に示されたものに限定されるものではない。
【００４４】
スタンド１０は、実施例１に記載のスピーカーシステム１をその台座部とし、そのキャビネット部材４の天板側に、平面型ディスプレイ９を支持するディスプレイ支持部１１の一端側が取り付けられている平面型ディスプレイ用スタンドである。スタンド１０のディスプレイ支持部１１の他端側は、平面型ディスプレイ９のスタンド取付部９５に取り付けられ、載置面８に載置した平面型ディスプレイ９を、使用者が視聴しやすいように支持設置する。このディスプレイ支持部１１が角度調整機能を有する場合には、液晶ディスプレイ９２を向けることができる仰角を、上下方向で（場合によっては左右方向でも）調節可能になる。なお、スタンド１０のディスプレイ支持部１１は、台座部を構成するスピーカーシステム１の底面バフル３に取り付けられていていてもよく、ディスプレイ支持部１１の構成自体は問われない。
【００４５】
スタンド１０は、実施例１に記載のスピーカーシステム１をその台座部にしているので、左スピーカー９３および右スピーカー９４に供給される電力増幅されたステレオ左右の音声信号電流を、内蔵するスピーカー２のダブルボイスコイル２４にそれぞれ並列接続して（図示しない）接続線で供給すれば、ステレオ左右音声信号の低音域を再生することができる。電力増幅されたステレオ左右の音声信号電流を供給する接続線は、外観視されないようにディスプレイ支持部１１を通してもよい。
【００４６】
平面型ディスプレイ９に内蔵されている左スピーカー９３および右スピーカー９４は、平面型ディスプレイ９の筐体９２が奥行き方向に薄くされるのに合わせて（図示しない）音響容量を規定するキャビネットを大きくできずに、最低共振周波数ｆ０が高くなり、十分な低音再生能力を有さない場合がある。したがって、本実施例のスタンド１０は、内蔵スピーカーのみでは不足しがちな音声再生の低音域を補い、そして、増強することができる。ここで、本実施例のスタンド１０は、その台座部を薄型のスピーカーシステム１で構成しているので、平面型ディスプレイ９を床面、あるいは、机や棚のような家具等の載置面８に設置するのに必要な通常のスタンドが要する体積に対して、スピーカー２を内蔵することで著しく体積が増加することもなく、音声再生の低音域を補い、増強することができる。
【００４７】
また、スタンド１０の台座部を構成するスピーカーシステム１の底面バフル３は、そのＵ字状凸部３１が形成するＵ字開口部を規定するＵ字状凸部３１の端部が、Ｕ字状凸部３１と外側平面部３４とを連結する斜面３１ｂおよび３１ｃを有するので、平面型ディスプレイ９を正面視する使用者には、Ｕ字状凸部３１の端部の斜面３１ｂおよび３１ｃは、底面バフル３の前面側端部に隠れて直視されない。したがって、平面型ディスプレイ９の使用者は、Ｕ字状凸部３１が形成するＵ字開口部が意識されず、スピーカー２の振動板２１も露出しないので、スタンド１０がスピーカー２を内蔵することさえ認識させない。本実施例のスタンド１０であれば、スピーカーを内蔵しない通常のスタンドに似て極めて外観がすっきりするので、これに取り替えて使用することができる。
【００４８】
上記実施例のスピーカーシステム１は、もちろん、複数のスピーカー２が底面バフル３に取り付けられていてもよく、また、それぞれのスピーカーに対応するＵ字状凸部３１を含んでいてもよい。また、複数のスピーカーシステム１が個別に音声信号を電力増幅する増幅器を内蔵していてもよく、左右ステレオ信号をモノラル信号に変換する変換回路を有していてもよい。また、スピーカーシステム１は低音再生に優れるので、音声信号の中高域を除去するローパスフィルターを内蔵してもよい。
【００４９】
また、上記実施例のスピーカーシステム１は、スタンド１０の台座部をそのまま構成するものに限られず、更に大画面のプラズマディスプレイ等に用いられるスタンドに内蔵される場合には、底面バフル３を大型化し、更に口径が大きいスピーカー２を含んでいてもよい。もちろん、スタンド１０が、パーソナルコンピュータに使用するような小型の液晶ディスプレイ等に合わせて小型化される場合には、スピーカー２ならびに底面バフル３を小型化して、スピーカーシステム１を小さくしてもよい。
【産業上の利用可能性】
【００５０】
本発明のスピーカーシステム１は、平面型ディスプレイのスタンドに内蔵するスピーカーシステムのみならず、音声を再生するスピーカーを内蔵するキャビネットを有し、そのキャビネット底面に連結するスタンドを介して床面等にキャビネットを立てて使用するフロア型スピーカーにおいて、そのスタンド部分に内蔵するスピーカーとしても適用が可能である。また、スピーカーシステム１の底面バフル３のＵ字状凸部３１が載置される面は、実施例で説明したような水平な載置面８に限られない。スピーカーシステム１を壁掛用スピーカーとして使用する場合には、スピーカー取付具で室内を構成する垂直な壁面にＵ字状凸部３１が密着するようにすればよい。
【図面の簡単な説明】
【００５１】
【図１】本発明の好ましい実施形態によるスピーカーシステム１を説明する斜視図である。（実施例１）
【図２】本発明の好ましい実施形態によるスピーカーシステム１を説明する断面図である。（実施例１）
【図３】平面型ディスプレイ９を支持する本発明の好ましい実施形態によるスタンド１０を説明する図である。（実施例２）
【符号の説明】
【００５２】
１        スピーカーシステム
２        スピーカー
３        底面バフル
３０      Ｕ字状凹部
３１      Ｕ字状凸部
３２      フレーム取付部
３３      内側平面部
３４      外側平面部
４        キャビネット部材
４０      上面側空間
４１      固定部
４２      磁気回路取付部
５        円形脚
５０      音源空間
５１      音道
５２      放射孔
６        蓋部材
７        クッション部材
８        載置面
９        平面型ディスプレイ
１０      スタンド
１１      ディスプレイ支持部
【図１】
2008042507.tif 000003
【図２】
2008042507.tif 000004
【図３】
2008042507.tif 000005